(57)【要約】      （修正有）【課題】金庫の防盗性を向上させる。【解決手段】金庫は、本体１とその一側縁に蝶番装置２にて水平回動自在に取付けられた扉とで構成されている。扉は、前面板１４と周壁板２３とを有する中空の殻体を備えており、内部には耐火材が充填されている。蝶番装置の可動部材５は、扉の前面に露出する基部５ｂと、扉の内部に入り込む嵌入部５ｃと、取付け穴２７を塞いだ状態で扉の前面に重なるフランジ部５ｄとを備えている。バールで可動部材５をこじ上げようとしても、フランジ部５ｄが突っ張り作用を果たすことにより、高い防盗性を確保できる。【選択図】図２
2008163658.tif 000002
【特許請求の範囲】
【請求項１】
前向きに開口した本体と、前記本体の開口縁の一側部に蝶番にて水平回動自在に取付けた扉とを備えており、前記扉は、前面板とその周囲に連続した周壁板を含む中空状殻体の内部に耐火材を充填した構造になっている一方、前記蝶番装置は、本体の前面に固着された固定部材と扉に固着された可動部材とを備えており、固定部材と可動部材とはピンで連結されている、
という金庫であって、
前記蝶番装置の可動部材は、扉の前面板から露出した基部と、前記基部と連続すると共に扉の前面板に形成した取付け穴から扉の殻体内部に入り込む嵌入部とを備えており、前記嵌入部は前記周壁板か又は殻体の内面に設けた補強板に固着されている一方、前記基部には、前記取付け穴を挟んで固定部材と反対側に延びて扉の前面に重なるフランジ部が一体に形成されている、
金庫。
【発明の詳細な説明】
【技術分野】
【０００１】
本体は金庫に関するものである。なお、本願にいう金庫は耐火庫や防盗性保管庫を含む概念である。
【背景技術】
【０００２】
金庫は前向きに開口した本体に水平回動式の扉を備えて構造になっており、扉は蝶番装置によって本体に取付けられている。蝶番装置は、一般に、本体に固着された固定部材と、扉に固着される可動部材と、両者を連結するピンとからなっている。金庫用の蝶番装置は壊されにくいという要請から単純な形態のものが一般的であり、例えば特許文献１に記載されているように、可動部材は扉の前面に重ね合わせてボルトで締結したり溶接したりしている。
【０００３】
また、特許文献１の図６に現されているように、蝶番装置の可動部材と本体の前面との間には多少ながら隙間が空いている。これは、加工誤差を吸収して円滑な回動を確保するために他ならない。
【特許文献１】特許第２５４７３００号公報
【発明の開示】
【発明が解決しようとする課題】
【０００４】
さて、賊が金庫を開く手口には色々あるが、一つの方法として蝶番装置の破壊がある。すなわち、既述のように蝶番装置の可動部材と本体との間に隙間が空いていることを利用して、この隙間にバールの先端を差し込み、そしてテコの原理で蝶番装置の可動部材をこじ上げることで扉を開こうとするものである。
【０００５】
そして、蝶番装置の可動部材を扉の前面に固着しているに過ぎない場合は、扉は可動部材との固着強度を十分に高くできないため、賊による蝶番装置の破壊行為に対して効果的でないという問題があった。この点に対して本願出願人は、改良技術として、扉の前面板に取付け穴を形成して、蝶番装置の可動部材を前記取付け穴から扉の肉厚部内に入り込ませたものを実用化しており、この改良技術は特許文献に比べると防盗性を向上できる。
【０００６】
本願発明は、前記した改良技術の考え方を一部で踏襲しつつより防盗性を向上させること課題とするものである。
【課題を解決するための手段】
【０００７】
本願発明に係る金庫は、基本的な構成は従来と同様であり、前向きに開口した本体と、前記本体の開口縁の一側部に蝶番にて水平回動自在に取付けた扉とを備えており、前記扉は、前面板とその周囲に連続した周壁板を含む中空状殻体の内部に耐火材を充填した構造になっている一方、前記蝶番装置は、本体の前面に固着された固定部材と扉に固着された可動部材とを備えており、固定部材と可動部材とはピンで連結されている。
【０００８】
そして、特徴として、「前記蝶番装置の可動部材は、扉の前面板から露出した基部と、前記基部と連続すると共に扉の前面板に形成した取付け穴から扉の殻体内部に入り込む嵌入部とを備えており、前記嵌入部は前記周壁板か又は殻体の内面に設けた補強板に固着されている一方、前記基部には、前記取付け穴を挟んで固定部材と反対側に延びて扉の前面に重なるフランジ部が一体に形成されている、」という構成になっている。
【発明の効果】
【０００９】
蝶番装置の可動部材と本体との間の隙間にバールを差し込んでこじた場合、蝶番装置の可動部材に対するバールの当たり具合により、可動部材には、本体の内部に向けて押しやられる外力が作用する場合と、手前に引き起こすように外力が作用する場合とがある（なお、いずれにしてもピンにせん断力が作用するが、ピンは一般に特殊鋼からなっていて熱処理されているためせん断破壊することはまずない。）。
【００１０】
そして、可動部材にこれを本体の奥側に押しやる外力が作用した場合は、可動部材に形成したフランジ部が扉の前面を強く押圧するように作用し、このため、バールによって可動部材をこじ上げようとする力は扉全体を本体に対して押さえるように作用するに過ぎず、このため、蝶番装置の可動部材を破壊して取り外すといったことはまず無理である。
【００１１】
他方、可動部材に手前に引き起こす外力が作用した場合は、嵌入部が扉の内部に入り込んでいてこれが扉を構成する板材に固着されているため、蝶番装置の固定部材が扉から離脱することはない。
【００１２】
このように、本体発明では、蝶番装置の可動部材をバールでこじる行為に対して強い抵抗を示すことができ、このため防盗性を格段に向上させることができる。特に、実施形態のように外周のうち回動中心の側の部分に補助閂を形成して本体には前記補助閂が嵌まる補助係合穴を設けると、扉を手前に起こす力に対しても扉を奥側に押し込む力に対しても閂が抵抗として作用するため、防盗性をより一層向上させることができる。
【発明を実施するための最良の形態】
【００１３】
次に、本願発明の実施形態を図面に基づいて説明する。図１のうち（Ａ）は金庫の斜視図であり、金庫は、前向きに開口した本体１と、本体１の縦長一側縁に蝶番装置２にて水平回動自在に取付けられた扉３とを主要部材としている。
【００１４】
蝶番装置２は、本体１の前面に固着された固定部材４と、扉３に固着された可動部材５、両者を連結するピン６とで構成されている。扉３には、ハンドル７とダイアル錠８とシリンダ錠９とを設けている。なお、施錠装置として、ダイアル錠８に代えて又はこれに加えて、テンキー入力式の電気錠やリモコン操作される電気錠を設けることも可能である。なお、扉３の内面部には本体１の係合部に係脱する閂杆が配置されている。
【００１５】
図２は図１の II-II視平断面図であり、このうち（Ａ）は閉扉状態の図、（Ｂ）は開いた状態の部分図である。図２に示すように、本体１は、外箱１１と内箱１２とで中空の殻体を構成してその内部にコンクリート等の耐火材１３を充填した基本構造になっている。また、扉３も、外面板１４と内面板１５とで形成された中空体に耐火材１３を充填した構造になっている。
【００１６】
扉３の外周には、前面側にずれた状態に形成された扉側第１段部１６とその奥側に位置した扉側第２段部１７とがそれぞれ形成されている一方、本体１の開口部には、扉側第１段部１６が重なる（嵌まり込む）本体側第１段部１８と、扉側第２段部１７が重なる（密接する）本体側第２段部１９とが形成されている。これら段部１６〜１９と扉３及び本体１の全周にわたって形成されている。
【００１７】
扉３及び本体１の第１段部１６，１８は本体１の前面と略平行になっており、第２段部１７，１９は、正面視において内側は手前に位置し周囲の部分は奥側に位置するように緩い角度で傾斜している。また、扉３の外周のうち第２段部よりも奥側の部分は、奥に行くにしたがって間口の内側にずれる傾斜部２０ａになっており、また、本体１のうち扉３の傾斜面２０と対向した部分も傾斜部２０ｂになっている。
【００１８】
本体１における開口部のうち、扉３が取付けられている縦長一側部の傾斜部２０ａに、ポケット状の補助係合穴２１の箇所又は上下に適宜間隔を隔てて複数箇所形成されている一方、扉３には補助係合穴に２１に嵌脱する固定式の補助閂２２を突設している。扉３の周壁板２３は、内面板１５に一体に折り曲げ形成されているか、又は、外面板１４に一体に折り曲げ形成しているか、或いは、専用の板材で構成している。
【００１９】
扉３の周壁板２３のうち補助閂２２を設けている部分には縦長の第１補強枠２４が溶接によって固着されており、補助閂２２は内側補強枠２４にボルト２５で固着されている。補助係合穴２１も鋼板２１ａで覆われている。扉３のうち回動中心の側に位置した内面部には、外面板１４と周壁板２３とに重なった平断面略コ字状の第２補強枠２６が溶接によって固着されている。
【００２０】
蝶番装置２の可動部材５は、固定部材４にピン６で連結された軸部５ａと、軸部５ａと一体に連続していて扉３の前面に露出した基部５ｂと、基部５ｂから扉３の内部に入り込むと共に第２補強枠２６の内面に密着又は密接する平面視略Ｌ形の嵌入部５ｃと、嵌入部５ａが嵌まる取付け穴２７を塞いだ状態で回動中心の外側に延びるフランジ部５ｄとを備えている。嵌入部５ｃを第２補強枠２６に溶接によって固着している。フランジ部５ｄは外面板１４に溶接してもよい。
【００２１】
本体１の外箱１１は第１段部１８まで延びており、外箱１１のうち縦長一側部の内面には平面視コ字状の第３補強枠２８が溶接によって固着されており、蝶番装置２の固定部材４はボルト２９で第３補強枠２８及び外箱１１に固着されている。また、蝶番装置２の固定部材４は外箱１１に溶接によっても固着されている。
【００２２】
本体１の内箱１２は本体側第１段部１８まで延びており、そして、内箱１２のうち本体側第１段部１８を構成する先端縁部１２ａの内面と外面とに薄板状（テープ状）の断熱性ガスケット３０，３１を接着剤や両面粘着テープによって貼り付けており、更に、外箱１１のうち本体第１段部１８の箇所に位置した先端縁部１１ａを内側の断熱性ガスケット３０に重ね合わせている。換言すると、外箱１１の先端縁部１１ａと内箱１２の先端縁部１２ａとで内側の断熱性ガスケット３０を挟み付けている。なお、断熱性ガスケットの素材には限定はなく、耐火断熱性を備えておればよい。その性質から一般には無機質のものが選択される。
【００２３】
内箱１２における先端縁部１２ａの先端面は外箱１１の第１壁部１１ｂに当接又は近接しており、先端面の箇所を飛び飛びの状態で外箱１１の第１壁部１１ｂに溶接で固着している（溶接箇所を符号３２で示す。）。外箱１１の先端縁部１１ａの先端には、奥側に入り込んだ補助片１１ｃが折り曲げ形成されている。補助片１１ｃは先端縁部１１ａの形状安定性を得るための一種のリブ的なものである。
【００２４】
なお、外箱１１は１枚板で構成される必要はなく、一般には、複数枚の板材を溶接して構成されている。例えば、背面板用板材、天板部用板材、側板用板材、底板用板材の５枚の板材で構成することができる。小型の金庫の場合は、１枚板を展開した状態に打ち抜いてから折り曲げて突き合わせ箇所を溶接する、といった形態となすことも可能である。第１段部１８から傾斜部２０ｂまでの部分を独立した板材で構成する、といったことも可能である。
【００２５】
外箱１１のうち本体側第１段部１８の手前側の第１壁部１１ｂには、テープ状の熱膨張性断熱材３３を貼着している。熱膨張性断熱材３３はある程度の温度になると発泡して本体１と扉３との間の隙間をシールするものであり、セラミック系のものや黒鉛系のものなどを使用できる。
【００２６】
以上の構成において、外箱１１と内箱１２とは溶接部３２のみの僅かの面積で繋がっているに過ぎず、外箱１１の先端縁部１１ａと内箱１２の先端縁部１２ａとは断熱性ガスケット３０で分断されているため、火災によって外箱１１が加熱されても熱が内箱１２に伝わることは著しく抑制され、このため、金庫の断熱性能を格段に向上できる。また、閉扉状態において扉３の第１段部１６と本体１の第１段部１８とで外側の断熱性ガスケット３１が挟まれていることと、熱膨張性断熱材３３を配置していることにより、火炎や熱風が庫内に入り込むことが阻止される。
【００２７】
そして、金庫が賊にあった場合、破壊の手口の一つとして、固定部材５と本体２との間の隙間にバールを差し込んで手前に引いたり奥に押したりして扉３を空けようとすることがある。この場合、蝶番装置２における可動部材５の基部５ｂには、図２に黒抜き矢印Ａで示すように奥側に押しやられる場合と、白抜き矢印Ｂで示すように手前に引かれる場合がある。
【００２８】
そして、可動部材５が奥側に押しやられる場合は、フランジ部５ｄの存在により、可動部材５は扉３を強く押すように作用する過ぎず、このため、扉３は本体２の段部に対して強く当たって閉扉状態を強く保持しようとするに過ぎず、このため扉３が簡単に空くことはない。また、補助閂２２は補助係合穴２１の奥面に強く当たることになり、この点においても、扉３が破壊されることはない。
【００２９】
他方、可動部材５が白抜き矢印Ｂのように手前に引かれる場合は、まず、嵌入部５ｃがその付け根部と先端部との両方において第２補強枠２６に溶接されていることにより、可動部材５と扉３とは高い固着強度になっていて可動部材５が扉３から離脱することはなく、また、扉３が手前側に移動し勝手になると補助閂２２が補助係合穴２１の手前側の縁に当たることにより、扉３が手間側に移動することが阻止される。この面においても、扉３の破壊を効果的に阻止できる。
【００３０】
外箱１１と内箱１２とを一体化する溶接部３２は飛び飛びにしか存在しないため、ある程度の外力がかかると離脱し得る。従って、賊が蝶番装置２の可動部材５がバールで起こそうとすることで外箱１１の第１壁部１１ｂと第１段部１１ａとが奥側に移動する傾向を呈すると、図２に一点鎖線で示すように、溶接部３２が破断して内箱１２の第１段部１６や第２段部１７は元の状態のままとなり、このため、細いバールでこじ空けようとしても扉２と本体１とが離反することはない。また、バールは本体２の第１段部１８に当たってそれ以上の浸入が阻止されるため、バールで強くこじ空けることは無理であり、この面においても防盗性が高められている。
【００３１】
本願発明では、蝶番装置２における可動部材５は、基部５ｂの付け根からフランジ部５ｄの先端までの距離Ｌ（図２（Ｂ）参照）は、デザイン等の問題が許す限りできるだけ大きいほうがよいと言える。
【００３２】
敢えて述べるまでもないが、本願発明において蝶番装置の具体的な形態は上記の実施形態に限定されるものではなく、他にも様々に具体化できる。
【図面の簡単な説明】
【００３３】
【図１】（Ａ）は金庫斜視図、（Ｂ）は蝶番装置の分離斜視図である。
【図２】図１（Ａ）の II-II視断面図であり、（Ａ）は閉扉状態での図、（Ｂ）は扉を少し開いた状態での図である。
【図３】扉の自由端部の部分的な平断面図である。
【符号の説明】
【００３４】
１  本体
２  蝶番装置
３  扉
４  固定部材
５  可動部材
５ａ  軸部
５ｂ  基部
５ｃ  嵌入部
５ｄ  フランジ部
６  ピン
１１  本体の外箱
１２  本体の内箱
１４  扉の外面板
２３  扉の外周部
２６  補強枠（補強板）
【図１】
2008163658.tif 000003
【図２】
2008163658.tif 000004
【図３】
2008163658.tif 000005